(57)【要約】【課題】陳列装置における容器の移動をより円滑にする。【解決手段】第１突起２４１〜第５突起２４５の各々は、板状（リブ状）に形成されるとともに容器本体２１の高さ方向に沿って配置されている。さらに第１突起２４１〜第５突起２４５の各々は、放射状に配置されている。また第１突起２４１〜第５突起２４５の各々は、（Ａ１）に示すように、容器本体２１により支持されている支持部２４６側の肉厚の方が先端部２４７における肉厚よりも大きくなるように形成されている。付言すると、容器本体２１の外周面から突出した第１突起２４１〜第５突起２４５の各々は、突出方向に進むに従い厚さが次第に小さくなるように形成されている。【選択図】図３
2011177376.tif 000002
【特許請求の範囲】
【請求項１】
標記が付された容器本体と、当該容器本体の外周面から当該容器本体の径方向に突出するとともに突出方向における先端に先端部を有し当該容器本体側に当該容器本体により支持される支持部を有する突起が当該容器本体の周囲に複数設けられた突起形成部位と、を有する容器と、
前記容器を予め定められた移動経路に沿って移動させる移動手段と、当該移動経路の側方から当該移動経路上に突出する突出部を複数有し当該移動経路を移動する当該容器の前記突起に当該突出部を接触させ当該容器を周方向に回転させる回転手段と、を備える陳列装置と、
を備え、
前記突起の各々は、前記容器本体の周方向における厚みが前記先端部側と前記支持部側とで異なるように形成されており、当該支持部における当該厚みよりも当該先端部における当該厚みの方が小さくなるように形成されていることを特徴とする陳列システム。
【請求項２】
前記突起の各々は、前記支持部から前記先端部に向かうに従い前記厚みが次第に小さくなるように形成されていることを特徴とする請求項１記載の陳列システム。
【請求項３】
前記突起の各々は、前記先端部に前記突出方向を向く端面を有し、
前記端面には平坦な面がされておらず、当該端面は曲率を有して形成されていることを特徴とする請求項１又は２に記載の陳列システム。
【請求項４】
前記突起の各々は、板状に形成されるとともに前記容器本体の高さ方向に沿って配置され、且つ、前記陳列装置の前記回転手段が有する前記突出部に接触する第１の面と、当該第１の面とは反対側に位置する第２の面と、を有し、
前記第１の面は、前記容器本体の前記外周面と略直交する関係で配置され、
前記第２の面は、前記突起の前記支持部側から前記先端部側に向かうに従い前記第１の面に接近するように配置されていることを特徴とする請求項１乃至３の何れかに記載の陳列システム。
【請求項５】
前記第２の面には、前記容器本体の高さ方向に沿って設けられ当該容器本体の前記外周面に接続される第１の辺、および、当該容器本体の当該外周面から離れた側に設けられるとともに当該容器本体の高さ方向に沿って設けられ且つ当該第１の辺と略平行に配置される第２の辺が形成され、
前記第２の面は、前記第１の辺と前記第２の辺を通る仮想平面よりも前記第１の面から離れた側に突出した状態で形成されていることを特徴とする請求項４記載の陳列システム。
【請求項６】
標記が付された容器本体と、
前記容器本体の外周面から当該容器本体の径方向に突出するとともに突出方向における先端に先端部を有し当該容器本体側に当該容器本体により支持される支持部を有する突起が当該容器本体の周囲に複数設けられた突起形成部位と、
を備え、
前記突起の各々は、前記容器本体の周方向における厚みが前記先端部側と前記支持部側とで異なるように形成されており、当該支持部における当該厚みよりも当該先端部における当該厚みの方が小さくなるように形成されていることを特徴とする容器。
【請求項７】
前記容器本体は、当該容器本体の前記外周面から当該容器本体の径方向に突出するとともに当該容器本体の周方向に沿って形成された環状の突出部を更に備え、
前記突起の各々は、その上端部または下端部が前記環状の突出部により支持されていることを特徴とする請求項６記載の容器。
【請求項８】
前記突起の各々は、板状に形成されるとともに前記容器本体の高さ方向に沿って配置され、且つ、当該容器本体の高さ方向における長さが互いに異なるように形成されていることを特徴とする請求項６又は７に記載の容器。
【請求項９】
前記突起形成部位は、前記容器本体に付された前記標記と予め定められた所定の位置関係を有して配置されていることを特徴とする請求項６乃至８の何れかに記載の容器。
【請求項１０】
標記が付された容器本体と、当該容器本体の外周面から当該容器本体の径方向に突出するとともに突出方向における先端に先端部を有し当該容器本体側に当該容器本体により支持される支持部を有する突起が当該容器本体の周囲に複数設けられた突起形成部位と、を有する容器と、
前記容器を予め定められた移動経路に沿って移動させる移動手段と、当該移動経路の側方から当該移動経路上に突出する突出部を複数有し当該移動経路を移動する当該容器の前記突起に当該突出部を接触させ当該容器を周方向に回転させる回転手段と、を備える陳列装置と、
を備え、
前記突起の各々は、前記陳列装置の前記回転手段が有する前記突出部に接触する第１の面と、当該第１の面とは反対側に位置する第２の面と、当該第１の面と当該第２の面と接続する第３の面と、を有し、
前記第１の面と前記第３の面とにより形成される第１の角部、および、前記第２の面と当該第３の面とにより形成される第２の角部のうちの少なくとも一方の角部は、曲率を有した状態で形成されていることを特徴とする陳列システム。
【請求項１１】
標記が付された容器本体と、
前記容器本体の外周面から当該容器本体の径方向に突出するとともに突出方向における先端に先端部を有し当該容器本体側に当該容器本体により支持される支持部を有する突起が当該容器本体の周囲に複数設けられた突起形成部位と、
を備え、
前記突起の各々は、前記突出方向を向く端面を前記先端部に有するとともに、当該端面の一方の縁部と前記容器本体の前記外周面とを結ぶ第１の面と、当該端面の他方の縁部と当該容器本体の当該外周面とを結ぶ第２の面と、を有し、
前記端面と前記第１の面とにより形成される第１の角部、および、当該端面と前記第２の面とにより形成される第２の角部のうちの少なくとも一方の角部は、曲率を有した状態で形成されていることを特徴とする容器。
【発明の詳細な説明】
【技術分野】
【０００１】
本発明は、容器を陳列する陳列システム等に関する。
【背景技術】
【０００２】
例えばコンビニエンスストアなどにおいては、ペットボトルなど飲料が充填された容器が、陳列装置に縦置きに載せられて販売される。そしてこのような陳列装置は、例えば、容器自身の自重により陳列ケースの前方に容器が移動するように傾斜した状態で配置される。そして、手前側（最前列）の１つの容器を抜き取ると、後続の容器が自重で手前側に移動する。
【０００３】
ここで陳列装置の容器が載せられる箇所には、容器の滑りの良さから例えばプラスチックの平板が設けられる。また、近年では回転可能なローラを多数配置した陳列装置が提案されている（例えば、特許文献１参照）。また、容器の補充は陳列装置の後方側から行うのが一般的であるが、手前側からの容器の投入を可能とするとともに、奥側に移動した容器が、再度手前側に移動し陳列される陳列装置も提案されている（例えば、特許文献２参照）。さらに、容器に関するものとして、缶底に形成された環状凸部の内周壁に、内側凹部と縦リブとが円周方向に交互に形成された缶が提案されている（例えば、特許文献３参照）。
【先行技術文献】
【特許文献】
【０００４】
【特許文献１】特開平１１−１５５７０１号公報
【特許文献２】米国特許第６５０２４０８号
【特許文献３】特開２０００−２１１６２４号公報
【発明の概要】
【発明が解決しようとする課題】
【０００５】
ところで、容器の外周面には、商品名や商標名などの標記が設けられるが、この標記が購入者の取り出し方向に向いていないと、商品の識別がしにくくなるとともに、商品の陳列時の見栄えが悪くなる。このため、陳列装置では、容器に付された標記が所定の方向に向くように容器を周方向に回転させることが望ましくなる。ここで容器の回転は、例えば、容器を予め定められた移動経路に沿って移動させるとともに、容器の外周面から容器の径方向に突出した突起に対して陳列装置側に設けられた突出部を接触させることで行うことができる。ところで容器に形成された突起の形状によっては、この突起が上記突出部を通過できず容器の移動が規制されてしまう場合がある。
【課題を解決するための手段】
【０００６】
本発明が適用される陳列システムは、標記が付された容器本体と、容器本体の外周面から容器本体の径方向に突出するとともに突出方向における先端に先端部を有し容器本体側に容器本体により支持される支持部を有する突起が容器本体の周囲に複数設けられた突起形成部位と、を有する容器と、容器を予め定められた移動経路に沿って移動させる移動手段と、移動経路の側方から移動経路上に突出する突出部を複数有し移動経路を移動する容器の突起に突出部を接触させ容器を周方向に回転させる回転手段と、を備える陳列装置と、を備え、突起の各々は、容器本体の周方向における厚みが先端部側と支持部側とで異なるように形成されており、支持部における厚みよりも先端部における厚みの方が小さくなるように形成されていることを特徴とする陳列システムである。
【０００７】
ここで、突起の各々は、支持部から先端部に向かうに従い厚みが次第に小さくなるように形成されていることを特徴とすることができる。また、突起の各々は、先端部に突出方向を向く端面を有し、端面には平坦な面がされておらず、端面は曲率を有して形成されていることを特徴とすることができる。また、突起の各々は、板状に形成されるとともに容器本体の高さ方向に沿って配置され、且つ、陳列装置の回転手段が有する突出部に接触する第１の面と、第１の面とは反対側に位置する第２の面と、を有し、第１の面は、容器本体の外周面と略直交する関係で配置され、第２の面は、突起の支持部側から先端部側に向かうに従い第１の面に接近するように配置されていることを特徴とすることができる。さらに、第２の面には、容器本体の高さ方向に沿って設けられ容器本体の外周面に接続される第１の辺、および、容器本体の外周面から離れた側に設けられるとともに容器本体の高さ方向に沿って設けられ且つ第１の辺と略平行に配置される第２の辺が形成され、第２の面は、第１の辺と第２の辺を通る仮想平面よりも第１の面から離れた側に突出した状態で形成されていることを特徴とすることができる。
【０００８】
また、本発明を容器と捉えた場合、本発明が適用される容器は、標記が付された容器本体と、容器本体の外周面から容器本体の径方向に突出するとともに突出方向における先端に先端部を有し容器本体側に容器本体により支持される支持部を有する突起が容器本体の周囲に複数設けられた突起形成部位と、を備え、突起の各々は、容器本体の周方向における厚みが先端部側と支持部側とで異なるように形成されており、支持部における厚みよりも先端部における厚みの方が小さくなるように形成されていることを特徴とする容器である。
【０００９】
ここで、容器本体は、容器本体の外周面から容器本体の径方向に突出するとともに容器本体の周方向に沿って形成された環状の突出部を更に備え、突起の各々は、その上端部または下端部が環状の突出部により支持されていることを特徴とすることができる。また、突起の各々は、板状に形成されるとともに容器本体の高さ方向に沿って配置され、且つ、容器本体の高さ方向における長さが互いに異なるように形成されていることを特徴とすることができる。さらに、突起形成部位は、容器本体に付された標記と予め定められた所定の位置関係を有して配置されていることを特徴とすることができる。
他の観点から捉えると、本発明が適用される陳列システムは、標記が付された容器本体と、容器本体の外周面から容器本体の径方向に突出するとともに突出方向における先端に先端部を有し容器本体側に容器本体により支持される支持部を有する突起が容器本体の周囲に複数設けられた突起形成部位と、を有する容器と、容器を予め定められた移動経路に沿って移動させる移動手段と、移動経路の側方から移動経路上に突出する突出部を複数有し移動経路を移動する容器の突起に突出部を接触させ容器を周方向に回転させる回転手段と、を備える陳列装置と、を備え、突起の各々は、陳列装置の回転手段が有する突出部に接触する第１の面と、第１の面とは反対側に位置する第２の面と、第１の面と当該第２の面と接続する第３の面と、を有し、第１の面と第３の面とにより形成される第１の角部、および、第２の面と第３の面とにより形成される第２の角部のうちの少なくとも一方の角部は、曲率を有した状態で形成されていることを特徴とする陳列システムである。
また、本発明を容器と捉えた場合、本発明が適用される容器は、標記が付された容器本体と、容器本体の外周面から容器本体の径方向に突出するとともに突出方向における先端に先端部を有し容器本体側に容器本体により支持される支持部を有する突起が容器本体の周囲に複数設けられた突起形成部位と、を備え、突起の各々は、突出方向を向く端面を先端部に有するとともに、端面の一方の縁部と容器本体の外周面とを結ぶ第１の面と、端面の他方の縁部と容器本体の外周面とを結ぶ第２の面と、を有し、端面と第１の面とにより形成される第１の角部、および、端面と第２の面とにより形成される第２の角部のうちの少なくとも一方の角部は、曲率を有した状態で形成されていることを特徴とする容器である。
【発明の効果】
【００１０】
本発明を採用しない場合に比べ、容器に設けられた突起が陳列装置側に設けられた突出部を通過しやすくなり、陳列装置における容器の移動をより円滑にすることができる。
【図面の簡単な説明】
【００１１】
【図１】本発明の実施形態に係る陳列装置の概略構成を示した図である。
【図２】陳列装置の上面図および側面図である。
【図３】容器を説明するための図である。
【図４】容器を説明するための図である。
【図５】陳列装置における容器の動作を説明するための図である。
【図６】容器の他の動作例を示した図である。
【図７】陳列装置における容器の動作を説明するための図である。
【図８】陳列装置における容器の動作を説明するための図である。
【図９】陳列装置における容器の動作を説明するための図である。
【図１０】第２の実施形態における容器を示した図である。
【図１１】第２の実施形態における容器を示した図である。
【図１２】陳列装置における容器の動作を示した図である。
【図１３】第１突起〜第５突起の他の形態を示した図である。
【図１４】第１突起〜第５突起の他の形態を示した図である。
【図１５】第１突起〜第５突起の他の形態を示した図である。
【発明を実施するための形態】
【００１２】
―第１の実施形態―
以下、添付図面を参照して、本発明を実施するための形態について説明する。
図１は、本発明の実施形態に係る陳列装置の概略構成を示した図である。
同図（Ａ）に示すように本実施形態における陳列装置３０は、図柄が印刷されたフィルムＦが外周面に装着され且つ飲料が内部に充填された容器２０が載せられる載置部３１と、容器２０の移動経路を形成するとともに容器２０の移動を案内するガイド３２とを備えている。また、載置部３１の一側辺に沿って配置され、容器２０の移動を停止させる、好ましくは透明に形成される規制板３４を備えている。また陳列装置３０は、容器２０を回転させ容器２０に付された識別標記２３を前方に向ける回転機構５０を備えている。
【００１３】
陳列装置３０は、同図（Ｂ）に示すように、コンビニエンスストア、スーパーマーケットなどに設置される陳列ケース１０の内部に収納される。この陳列ケース１０は、直方体状に形成されたケース本体部１０Ａと、このケース本体部１０Ａに対して開閉可能に設けられたドア１０Ｂとにより主要部が構成されている。ここで陳列装置３０は、陳列ケース１０に設けられた棚（不図示）の上に載せられる。この際、陳列装置３０は、規制板３４が設けられた側がドア１０Ｂ側に位置するように設置される。また陳列装置３０の載置部３１は、規制板３４が設けられた側が、規制板３４が設けられた側とは反対側よりも下方に位置するように配置される。即ち、陳列装置３０の載置部３１は、陳列ケース１０の後方側から容器２０が取り出される前方側（取り出し部側）に向かって下り傾斜した状態で配置される。
【００１４】
ここで本実施形態における陳列ケース１０は、後方側にもドアが設けられ（不図示）、後方側も開放可能となっている。そしてこの後方側より陳列装置３０に容器２０が投入される。即ち、陳列ケース１０の後方側および陳列装置３０の後方側に容器２０の投入部が設けられた構成となっている。そして、投入された容器２０は載置部３１上をドア１０Ｂ側に向かって移動する。なお、本明細書では、ドア１０Ｂ側を前方側（前方）と称しドア１０Ｂとは反対側を後方側（後方）と称する場合がある。また、陳列ケース１０の幅方向（容器２０が移動する方向に直交する方向）を横方向、幅方向と称する場合がある。なお本実施形態における載置部３１等は、容器２０を予め定められた移動経路に沿って移動させる移動手段として捉えることができる。
【００１５】
陳列装置３０についてさらに詳細に説明する。
図２は、陳列装置３０の上面図および側面図を示している。詳細には、同図（Ａ）は上面図を示し、同図（Ｂ）は右側面図を示している。
本実施形態における陳列装置３０では、図２（Ａ）に示すように、載置部３１に、複数のロール状部材３１１が設けられている。詳細に説明すると、複数のロール状部材３１１が前後方向に沿って並べられた第１ローラ列３１２と、同じく複数のロール状部材３１１が前後方向に沿って並べられた第２ローラ列３１３とが、載置部３１に設けられている。各々のロール状部材３１１は、容器２０の移動経路に沿った回転が可能なように設けられており、容器２０を前方へ円滑に移動させる。
【００１６】
また陳列装置３０は、上記のとおり、容器２０を回転させ容器２０に付された識別標記２３を前方に向ける回転機構５０を備えている。ここで回転機構５０は、同図（Ａ）に示すように、容器２０の移動経路に沿って設けられ且つ載置部３１の上方に設けられた棒状部材５１、この棒状部材５１に取り付けられ容器２０の移動経路の一方の側方からこの移動経路に突出した第１ピン５２１〜第５ピン５２５（突出部の一例）を備えている。ここで本実施形態では、容器２０の移動方向最上流側に第１ピン５２１が配置され、移動方向最下流側に第５ピン５２５が配置されている。また、第１ピン５２１〜第５ピン５２５の各々は、一定の間隙をおいて配置されている。また回転機構５０は、棒状部材５１を右方側のガイド３２に固定する固定部材５３を備えている。なお、第１ピン５２１〜第５ピン５２５や棒状部材５１は、容器２０を回転させる回転手段として捉えることができる。
【００１７】
また同図（Ｂ）に示すように、棒状部材５１には、前方に向かうに従い載置部３１から離れるような傾斜が付与されている。このため、本実施形態では、第１ピン５２１が載置部３１の最も近くに配置され、第５ピン５２５が載置部３１から最も離れた箇所に位置している。付言すれば第１ピン５２１〜第５ピン５２５は、高さ方向における位置が互いにずらされて配置されている。なお本図では、理解を容易にするため、棒状部材５１の傾斜を実際の傾斜よりも大きく表示している。
【００１８】
次いで容器２０について説明する。
図３および図４は、容器２０を説明するための図である。なお、図３（Ａ）は容器２０の正面図を示し、同図（Ｂ）は容器２０の左側面図を示している。また、図４（Ａ）は容器２０の背面図を示し、同図（Ｂ）は容器２０の右側面図を示している。また、図３（Ａ）、（Ｂ）、図４（Ａ）、（Ｂ）の各々の上部に表示した図は、Ａ−Ａ線における断面図を示している。
【００１９】
本実施形態における容器２０は、ＰＥＴ（ポリエチレンテレフタレート）などの樹脂材料により形成された容器を例示している。例えば、このような容器２０は、樹脂材料を用いた射出成形（ブロー成形）法、樹脂材料を用いてプリフォームを成形後、これをブロー成形する方法により製造することができる。
【００２０】
図３（Ａ）に示すように本実施形態における容器２０は、上部に開口（飲み口）を有し且つ筒状に形成され内部に飲料が充填された容器本体２１と、容器本体２１の開口を塞ぐキャップ２２とを備えている。また容器本体２１の外周面には、フィルムＦが装着されている。なお容器本体２１は、上部側の径が底部側の径よりも小さくなっている。即ち、容器本体２１は、上部側が縮径された状態となっている。
【００２１】
ここでフィルムＦには、同図（Ａ）に示すように、商品名、商標名など他の商品と識別するための識別標記２３が印刷されている。また容器２０は、容器本体２１の上部に（キャップ２２の下部に）、容器本体２１の外周面から容器本体２１の径方向に突出するとともに容器本体２１の周方向に沿って形成された環状の突出部２４を備えている。ここで、この突出部２４は容器本体２１と一体に形成されている。
【００２２】
また本実施形態における容器２０は、図３（Ａ）に示すように、突出部２４の下部であって容器本体２１の周囲に、容器本体２１の外周面から容器本体２１の径方向に向かって突出するとともに突出方向における先端に先端部２４７を有する第１突起２４１〜第５突起２４５を備えている。ここで第１突起２４１〜第５突起２４５の各々は、その上端部が突出部２４によって支持されており、突出部２４により支持されていない場合に比べ破損等しにくくなっている。なお本実施形態では、上端部が突出部２４により支持されている場合を説明したが、突出部２４を第１突起２４１〜第５突起２４５よりも下方に設け、第１突起２４１〜第５突起２４５の下端部が突出部２４により支持される構成とすることもできる。
【００２３】
ここで第１突起２４１は、識別標記２３が設けられた側であって容器２０の右側面側に設けられている（図３（Ａ）参照）。また、第５突起２４５は、識別標記２３が設けられた側とは反対側であって容器２０の右側面側に設けられている（図３（Ａ）の断面図参照）。また、第２突起２４２〜第４突起２４４は、第１突起２４１と第５突起２４５との間に配置されている。なお第１突起２４１〜第５突起２４５が設けられている箇所は突起形成部位として捉えることができる。また本実施形態では、識別標記２３を陳列装置３０の前方に向けるため、上記突起形成部位と識別標記２３とが予め定められた所定の位置関係を有して配置されている。
【００２４】
また、第１突起２４１〜第５突起２４５は、容器２０の周方向（時計回り方向）において、第１突起２４１、第２突起２４２、第３突起２４３、第４突起２４４、第５突起２４５、の順に設けられている。また第１突起２４１〜第５突起２４５は、容器本体２１の周方向における所定範囲内に設けられている。また第１突起２４１〜第５突起２４５は、容器本体２１の周方向においてほぼ等間隔で配置されている。さらに突出部２４からの突出量（容器本体２１の高さ方向における各突起の長さ）は、第１突起２４１が最も大きく、次いで第２突起２４２となっている。また、第３突起２４３の突出量は、第２突起２４２よりも小さく、第４突起２４４の突出量は、第３突起２４３よりも小さくなっている。そして、第５突起２４５の突出量が最も小さくなっている。なお本実施形態における容器２０において、容器本体２１の接線（図３（Ａ）の断面図参照）よりも右方側にはいずれの突起も設けられていない。
【００２５】
また第１突起２４１〜第５突起２４５の各々は、板状（リブ状）に形成されるとともに容器本体２１の高さ方向に沿って配置されている。さらに第１突起２４１〜第５突起２４５の各々は、放射状に配置されている。また第１突起２４１〜第５突起２４５の各々は、図３（Ａ１）に示すように、容器本体２１により支持されている支持部２４６側の肉厚（厚み）の方が先端部２４７における肉厚よりも大きくなるように形成されている。付言すると、容器本体２１の外周面から突出した第１突起２４１〜第５突起２４５の各々は、突出方向に進むに従い厚さ（容器本体２１の周方向における厚さ）が次第に小さくなるように形成されている。
【００２６】
さらに具体的に説明すると、第１突起２４１〜第５突起２４５の各々は、ほぼ平坦に形成され且つ容器本体２１の外周面（外周面に接する接平面）と交差する関係（略直交する関係）で配置されるととともに上記第１ピン５２１〜第５ピン５２５に接触する第１の面２４１Ａを備えている（図３（Ａ１）参照）。また第１突起２４１〜第５突起２４５の各々は、この第１の面２４１Ａとは反対側に形成されるとともに（第１の面２４１Ａの裏面となるように配置されるとともに）容器本体２１の外周面と交差する関係で配置された第２の面２４１Ｂを備えている（図３（Ａ１）参照）。
【００２７】
ここで、第２の面２４１Ｂは、容器本体２１の外周面から離れるに従い（支持部２４６から先端部２４７に向かうに従い）、上記第１の面２４１Ａに接近するように配置されている。また第２の面２４１Ｂは、図３（Ａ１）および図４（Ｂ）に示すように、容器本体２１の高さ方向に沿って設けられ且つ容器本体２１の外周面に接続される第１の辺２４１Ｄ、容器本体２１の外周面から離れた側に設けられるとともに容器本体２１の高さ方向に沿って設けられ且つ上記第１の辺２４１Ｄと略平行に配置される第２の辺２４１Ｅを有している。
【００２８】
また本実施形態における第２の面２４１Ｂは、上記第１の辺２４１Ｄと第２の辺２４１Ｅを通る仮想平面２４１Ｆ（図３（Ａ１）参照）よりも第１の面２４１Ａから離れた側に突出した状態で形成されている。付言すると、第２の面２４１Ｂは、仮想平面２４１Ｆよりも第１の面２４１Ａ側に位置する一方の領域と、この一方の領域とは反対側に位置する他方の領域のうちの、他方の領域に突出した状態で配置されている。またこの第２の面２４１Ｂは、曲面で形成されこの他方の領域側に膨らむように形成されている。
【００２９】
さらに第１突起２４１〜第５突起２４５の各々は、容器本体２１の外周面から最も離れた箇所に配置され且つ容器本体２１の外周面に沿うように設けられ上記第１の面２４１Ａの縁部と第２の面２４１Ｂの縁部とを接続する第３の面２４１Ｃを備えている。ここで第３の面２４１Ｃは、第１突起２４１〜第５突起２４５の先端部２４７に設けられるとともに第１突起２４１〜第５突起２４５の突出方向を向く端面として捉えることができる。なお上記では第２の面２４１Ｂを曲面として形成した場合を一例に説明したが、第２の面２４１Ｂは、図３（Ａ２）に示すように平坦にすることができる。なお図３（Ａ１）に示した態様の方が、より肉厚となるため、図３（Ａ１）に示した態様の方が図３（Ａ２）で示した態様よりも第１突起２４１〜第５突起２４５の破損等が起こりにくくなる。
【００３０】
また容器２０は、容器２０を識別標記２３が設けられた側から眺めた場合に（図３（Ａ）参照）、容器２０の右側面側に、第１突起２４１〜第５突起２４５が設けられていない構成となっている。付言すると、第１突起２４１〜第５突起２４５が設けられている高さ方向の位置において、容器２０の右側面側は、容器本体２１が露出する状態となっている。さらに説明すると、容器本体２１の右側面に対する接線且つ容器２０の正面側から背面側に向かう接線であって上記第１突起２４１〜第５突起２４５が設けられた高さ位置を通る接線（図３（Ａ）の断面図参照）よりも容器２０の右方側には、第１突起２４１〜第５突起２４５が設けられていない構成となっている。
【００３１】
次いで陳列装置３０における容器２０の動作について説明する。
図５は、陳列装置３０における容器２０の動作を説明するための図である。なお、本図では、第１ローラ列３１２、第２ローラ列３１３、および固定部材５３の図示を省略している。また本図では、図を見やすくするため、突出部２４よりも上方に第１ピン５２１〜第５ピン５２５を表示している。同図の符号５Ａに示すように、識別標記２３が右斜め前方を向いた状態で容器２０が陳列装置３０に投入された場合、第１ピン５２１に対し第１突起２４１が突き当たるようになる。これによって容器２０には回転力が付与され、容器２０は反時計回りの回転を行うようになる。次いで容器２０の前方への移動に伴い、第２ピン５２２に対し第２突起２４２が突き当たり（符号５Ｂ参照）、容器２０は同様に反時計回りの回転を行う。
【００３２】
その後、容器２０は、第３ピン５２３に第３突起２４３が突き当たり、第４ピン５２４に第４突起２４４が突き当たることで、周方向の回転を順次行っておく。即ち本実施形態では、容器２０に設けられた突起に対して陳列装置３０側に設けられたピンが順次接触し、容器２０が周方向の回転を行う。そして最終的に、第５突起２４５が第５ピン５２５に突き当たることで（符号５Ｃ参照）、識別標記２３が前方を向くようになる。その後、容器２０は、載置部３１上をスライドし陳列装置３０の前方に到達する。
【００３３】
本実施形態では、識別標記２３と第１突起２４１〜第５突起２４５が設けられた領域とが予め定められた位置関係を有して配置されている。また、識別標記２３と第１突起２４１〜第５突起２４５が設けられていない領域も予め定められた位置関係を有して配置されている。具体的には、識別標記２３が一方向を向いている場合に、第１突起２４１〜第５突起２４５が設けられていない領域がこの一方向と直交する方向を向くようになっている。
【００３４】
このため本実施形態では、識別標記２３が前方以外の方向を向いている場合には容器２０が回転し、識別標記２３が前方を向いている場合には容器２０は回転を行わない。付言すると、識別標記２３が前方に向いていない状態で容器２０の投入を行ったとしても、陳列装置３０の前方側に容器２０が達した際に識別標記２３を前方に向いた状態となる。即ち本実施形態では、容器２０を陳列装置３０に投入する投入者が特別な操作をしないでも、識別標記２３が前方を向くこととなる。
【００３５】
なお上記説明を省略したが、第１ピン５２１〜第５ピン５２５の各々は、高さ方向における位置が予め調整されている。即ち、第１ピン５２１と第１突起２４１とが突き当たるように、第２ピン５２２と第２突起２４２とが突き当たるように、第３ピン５２３と第３突起２４３とが突き当たるように、第１ピン５２１〜第３ピン５２３の各々は、高さ方向における位置が予め調整されている。また、第４ピン５２４と第４突起２４４とが突き当たるように、第５ピン５２５と第５突起２４５とが突き当たるように、第４ピン５２４、第５ピン５２５の各々は、高さ方向における位置が予め調整されている。
【００３６】
図５（Ｂ）を参照して容器２０の他の動作例を説明する。
同図に示すように、識別標記２３が陳列装置３０の後方側を向いた状態で容器２０が投入された場合、第３突起２４３が第１ピン５２１〜第５ピン５２５が設けられている側と対峙するようになる。そしてこの容器２０は前方へ移動することとなるが、この第３突起２４３は、第１ピン５２１、第２ピン５２２（図２（Ｂ）も参照）の上方を通過するようになる。このため、容器２０は、回転せずに第３ピン５２３まで到達する。そして、容器２０はこの第３ピン５２３から回転力を受け上記と同様に回転を行う。そして容器２０は、上記と同様に、識別標記２３が前方を向いた状態で陳列装置３０の前方に到達する。
【００３７】
図６は、容器２０の他の動作例を示した図である。
図６（Ａ）に示すように、識別標記２３が陳列装置３０の左後方を向いた状態で容器２０が投入された場合、第４突起２４４が第１ピン５２１〜第５ピン５２５が設けられている側と対峙するようになる。そして容器２０は前方へ移動することとなるが、この第４突起２４４は、第１ピン５２１〜第３ピン５２３（図２（Ｂ）も参照）の上方を通過するようになる。このため、容器２０は、回転せずに第４ピン５２４まで到達する。そして、容器２０はこの第４ピン５２４から回転力を受け上記と同様に回転を行う。そして容器２０は、上記と同様に、識別標記２３が前方を向いた状態で陳列装置３０の前方に到達する。
【００３８】
また図６（Ｂ）に示すように、識別標記２３が前方を向いた状態で容器２０が投入される場合もある。この場合、容器２０の側面であって第１ピン５２１〜第５ピン５２５が配置された側と対向する側面には、第１突起２４１〜第５突起２４５が存在しない状態となる。付言すれば、第１突起２４１〜第５突起２４５が存在しない領域（面）と、第１ピン５２１〜第５ピン５２５が配置された側とが対峙するようになる。さらに付言すれば、第１ピン５２１〜第５ピン５２５に突き当たる第１突起２４１〜第５突起２４５が、容器２０の図中右側面側に位置しない状態となる。このため、容器２０は、回転を行うことなく陳列装置３０の前方まで到達する。即ち、識別標記２３が前方を向いた状態を維持したまま陳列装置３０の前方まで到達する。
【００３９】
ここで、上記では一つの容器２０を投入した場合の動作を説明したが、陳列装置３０に既に複数の容器２０が陳列されている場合には、先頭に位置する容器２０の取り出しを行うと、この容器２０の分、空間が形成される。そして、この空間に向かって２番目の容器２０が移動するようになる。また、この２番目の容器２０に後続する容器２０の移動も開始される。この際、各容器２０は、第１ピン５２１〜第５ピン５２５により回転し、各容器２０の識別標記２３が前方を向くようになる。
【００４０】
ところで、陳列装置３０に対する容器２０の投入が行われる際、容器２０は一定の姿勢で常に投入されるわけではなく様々な姿勢で投入される。そして投入される際の容器２０の姿勢および上記第１突起２４１〜第５突起２４５の形状によっては、容器２０の移動が第１ピン５２１〜第５ピン５２５により規制され容器２０の移動が妨げられるおそれがある。また陳列装置３０にて容器２０が移動する過程において容器２０の姿勢が変化した場合にも、容器２０の移動が第１ピン５２１〜第５ピン５２５により規制され容器２０の移動が妨げられるおそれがある。
【００４１】
図７〜図９は、陳列装置３０における容器２０の動作を説明するための図である。
例えば、図７（Ｂ）に示すような状態で容器２０が投入された場合、且つ、図７（Ｂ）に示すように第１突起２４１の厚みが一定である場合、第１ピン５２１に対して第１突起２４１の第３の面２４１Ｃが突き当たる。そしてこの場合、容器２０は、第１ピン５２１および図中左側のガイド３２により挟まれる形となり、前方への移動が妨げられる。付言すると、本来ならば、識別標記２３が前方を向いた状態で陳列装置３０の前方まで容器２０が移動する状態であるにも関わらず、容器２０が第１ピン５２１および図中左側のガイド３２により挟まれ、容器２０の前方への移動が妨げられる。
【００４２】
このため本実施形態では、図７（Ａ）および上記のとおり、第２の面２４１Ｂを、容器本体２１から離れるに従い第１の面２４１Ａに接近するように形成し、第１突起２４１の先端部２４７における肉厚を支持部２４６における肉厚よりも小さくしている。そしてこの場合、図７（Ａ）に示すように、第１突起２４１の第３の面２４１Ｃが第１ピン５２１に突き当たることが防止され、容器２０は、陳列装置３０の前方に向かって移動していく。
【００４３】
ここで、図６（Ａ）では、第４突起２４４が第４ピン５２４に突き当たることで容器２０が周方向に回転し、その後、第５突起２４５が第５ピン５２５に突き当たる場合を説明した。ところで、第４突起２４４が第４ピン５２４に突き当たった後に容器２０の外周面がガイド３２に接触し容器２０の回転が十分になされない場合が生じうる。そしてこの場合、且つ、第５突起２４５の厚みが一定である場合、図８（Ｂ）に示すように、第５ピン５２５に対して第５突起２４５の第３の面２４１Ｃが突き当たる。そしてこの場合、第５ピン５２５および図中左側のガイド３２により容器２０が挟まれる形となり、容器２０の前方への移動が妨げられる。
【００４４】
一方で本実施形態では、図８（Ａ）および上記のとおり、第２の面２４１Ｂを、容器本体２１から離れるに従い第１の面２４１Ａに接近するように形成し、第５突起２４５の先端部２４７における肉厚を支持部２４６における肉厚よりも小さくしている。この場合、図８（Ａ）に示すように、第５突起２４５の第３の面２４１Ｃが第５ピン５２５に突き当たることが防止され、容器２０は、陳列装置３０の前方に向かって移動していく。付言すると、第５突起２４５が第５ピン５２５を通過可能となり、容器２０は陳列装置３０の前方に向かって移動していく。なお第５突起２４５が第５ピン５２５を通過した後は、図８（Ａ）に示す第４突起２４４が第５ピン５２５に接触し、容器２０の回転が行われる。これにより識別標記２３が陳列装置３０の前方側を向くようになる。
【００４５】
また、上記図５（Ａ）では、第１突起２４１が第１ピン５２１に突き当たることで容器２０が周方向に回転し、その後、第２突起２４２が第２ピン５２２に突き当たる場合を説明した。ところで、第１突起２４１が第１ピン５２１に突き当たった後に容器２０の外周面がガイド３２に接触し容器２０の回転が十分になされない場合が生じうる。そしてこの場合、且つ、第２突起２４２の厚みが一定である場合、図９（Ｂ）に示すように、第２ピン５２２に対して第２突起２４２の第３の面２４１Ｃが突き当たる。そしてこの場合、第２ピン５２２および図中左側のガイド３２により容器２０が挟まれる形となり、前方への容器２０の移動が妨げられる。
【００４６】
一方で本実施形態では、図９（Ａ）および上記のとおり、第２の面２４１Ｂを、容器本体２１から離れるに従い第１の面２４１Ａに接近するように形成し、第２突起２４２の先端部２４７における肉厚を支持部２４６における肉厚よりも小さくしている。この場合、図９（Ａ）に示すように、第２突起２４２の第３の面２４１Ｃが第２ピン５２２に突き当たることが防止され、容器２０は、陳列装置３０の前方に向かって移動していく。付言すると、第２突起２４２が第２ピン５２２を通過可能となり、容器２０は陳列装置３０の前方に向かって移動していく。なお第２突起２４２が第２ピン５２２を通過した後は、図９（Ａ）における第１突起２４１が第２ピン５２２に接触することで容器２０の回転がまず行われる。その後は、第２突起２４２が第３ピン５２３に突き当たり、第３突起２４３が第４ピン５２４に突き当たり、第４突起２４４が第５ピン５２５に突き当たる。これによって識別標記２３が陳列装置３０の前方側を向くようになる。
【００４７】
―第２の実施形態―
図１０、図１１は、第２の実施形態における容器２０を示した図である。なお、図１０（Ａ）は容器２０の正面図を示し、同図（Ｂ）は容器２０の左側面図を示している。また、図１１（Ａ）は容器２０の背面図を示し、同図（Ｂ）は容器２０の右側面図を示している。また、図１０（Ａ）、（Ｂ）、図１１（Ａ）、（Ｂ）の各々の上部に表示した図は、Ａ−Ａ線における断面図である。
【００４８】
上記第１の実施形態では、第１突起２４１〜第５突起２４５の各々の高さを異ならせるとともに、陳列装置３０における第１ピン５２１〜第５ピン５２５の高さを異ならせた。一方で、第１突起２４１〜第５突起２４５の高さ方向における寸法を、図１０、図１１に示すように等しくしてもよい。換言すると、第１突起２４１〜第５突起２４５の高さ方向における寸法に差を付けない構成とすることもできる。また、陳列装置３０における第１ピン５２１〜第５ピン５２５の高さ（第１ピン５２１〜第５ピン５２５の載置部３１からの高さ）を等しくすることができる。なお、第１突起２４１〜第５突起２４５は、第１の実施形態における第１突起２４１〜第５突起２４５と同様の形状を有している。即ち、第１突起２４１〜第５突起２４５の各々は、図１０（Ａ）の断面図に示すように、先端部２４７における肉厚の方が容器本体２１により支持されている支持部２４６の肉厚よりも小さくなるように形成されている。
【００４９】
ここで図１２は、陳列装置３０における容器２０の動作を示した図である。なお、本実施形態における陳列装置３０では、上記のとおり、第１ピン５２１〜第５ピン５２５の高さを異ならせず、載置部３１からほぼ等しい高さ位置に第１ピン５２１〜第５ピン５２５を配置している。
【００５０】
例えば、図１２（Ａ）に示すように、識別標記２３が右斜め前方を向いた状態で容器２０が投入された場合、まず第１突起２４１が第１ピン５２１に突き当たる。これによって容器２０は反時計回りの回転を行う。その後、容器２０は、第２突起２４２が第２ピン５２２に突き当たり、第３突起２４３が第３ピン５２３に突き当たり、第４突起２４４が第４ピン５２４に突き当たることで、順次回転を行う。そして、容器２０は、第５突起２４５が第５ピン５２５に突き当たることで更に回転する。この結果、識別標記２３が前方を向くようになる。
【００５１】
また、例えば、図１２（Ｂ）に示すように、識別標記２３が後方を向いた状態で容器２０が投入された場合、まず第３突起２４３が第１ピン５２１に突き当たる。これによって容器２０は反時計回りの回転を行う。その後、容器２０は、第４突起２４４が第２ピン５２２に突き当たり、第５突起２４５が第３ピン５２３に突き当たることで、順次回転を行う。これによって、識別標記２３が前方を向くようになる。そしてこの場合、第１突起２４１〜第５突起２４５が設けられていない部位が、第１ピン５２１〜第５ピン５２５が配置された側に対向する状態となる。この結果、容器２０は、残りの第４ピン５２４、第５ピン５２５に突き当たることなく前方へ移動していく。
【００５２】
なお本実施形態でも、上述のとおり、第１突起２４１〜第５突起２４５の各々は、先端部２４７における肉厚の方が容器本体２１により支持されている支持部２４６の肉厚よりも小さくなるように形成されている。このため、第１突起２４１〜第５突起２４５が第１ピン５２１〜第５ピン５２５を通過しやすくなり、容器２０の移動が第１ピン５２１〜第５ピン５２５により妨げられることが抑制される。
【００５３】
ここで、上記第１突起２４１〜第５突起２４５は、次のような形態とすることもできる。図１３〜図１５は、第１突起２４１〜第５突起２４５の他の形態を示した図である。なお、図１３〜図１５では第１突起２４１のみを図示しているが、第２突起２４２〜第５突起２４５も第１突起２４１と同様の形状で形成されている。
【００５４】
上記では、第１の面２４１Ａの縁部と第２の面２４１Ｂの縁部とを接続する第３の面２４１Ｃ（図３（Ａ）参照）を設けた例を説明したが、図１３（Ａ）、（Ｂ）に示すように、第３の面２４１Ｃを設けない構成とすることもできる。付言すると、上記では、第３の面２４１Ｃに略平坦な面が形成されていたが、図１３（Ａ）、（Ｂ）に示す形態では、この平坦な面が形成されておらず、第３の面２４１Ｃが設けられていた箇所に、曲率を有した面が形成された状態となっている。
【００５５】
また上記では、第２の面２４１Ｂが、容器本体２１の外周面から離れるに従い（支持部２４６から先端部２４７に向かうに従い）第１の面２４１Ａに接近するように配置されていたが、図１３（Ａ）に示すように、第１の面２４１Ａを第２の面２４１Ｂに接近させることもできる。ここで図１３（Ａ）における構成において、同図に示すように第１突起２４１と第１ピン５２１とが対峙する場合は、第１の面２４１Ａが第１ピン５２１に接触することにより容器２０が反時計回りに回転する。また、図１３（Ｂ）に示す構成を採用した場合は、厚みが一定の第１突起２４１（同図の破線参照）を採用した場合に比べ、第１突起２４１と第１ピン５２１との接触が起こりにくくなる。そしてこの場合、第１ピン５２１を第１突起２４１が通過しやすくなる。
【００５６】
また第１突起２４１〜第５突起２４５は、図１４に示す形態とすることもできる。ここで図１４では、容器本体２１の外周面から離れるに従い（支持部２４６から先端部２４７に向かうに従い）、第１の面２４１Ａを第２の面２４１Ｂに対し接近させ、且つ、第２の面２４１Ｂを第１の面２４１Ａに対し接近させている。また、上記と同様、第３の面２４１Ｃを設けない構成としている。ここで、図１４（Ａ）に示すように、第１の面２４１Ａと第１ピン５２１とが対峙する場合には、容器２０は反時計回りに回転するようになる。また、図１４（Ｂ）に示すように、第２の面２４１Ｂと第１ピン５２１とが対峙する関係となる場合には、第１突起２４１が第１ピン５２１を通過するようになる。
【００５７】
また上記では、容器本体２１の外周面から離れるに従い、第１の面２４１Ａおよび第２の面２４１Ｂのうちの少なくとも一方の面を他方の面に接近させたが、図１５に示すように、第１の面２４１Ａおよび第２の面２４１Ｂを略平行に配置することができる。そして本図に示す構成では、第１の面２４１Ａと第３の面２４１Ｃとの接続部に形成される第１角部２４９Ａに対し曲率を付与し、また、第２の面２４１Ｂと第３の面２４１Ｃとの接続部に形成される第２角部２４９Ｂに対し曲率を付与している。付言すると、第１角部２４９Ａおよび第２角部２４９Ｂを面取りされたような形状とすることができる。なお曲率の付与は、第１角部２４９Ａおよび第２角部２４９Ｂの両者ではなく一方のみに行うこともできる。
【符号の説明】
【００５８】
２０…容器、２１…容器本体、２３…識別標記、２４…突出部、３０…陳列装置、３１…載置部、５１…棒状部材、２４１…第１突起、２４１Ａ…第１の面、２４１Ｂ…第２の面、２４１Ｄ…第１の辺、２４１Ｅ…第２の辺、２４１Ｆ…仮想平面、２４６…支持部、２４７…先端部、５２１〜５２５…第１ピン〜第５ピン
【図１】
2011177376.tif 000003
【図２】
2011177376.tif 000004
【図３】
2011177376.tif 000005
【図４】
2011177376.tif 000006
【図５】
2011177376.tif 000007
【図６】
2011177376.tif 000008
【図７】
2011177376.tif 000009
【図８】
2011177376.tif 000010
【図９】
2011177376.tif 000011
【図１０】
2011177376.tif 000012
【図１１】
2011177376.tif 000013
【図１２】
2011177376.tif 000014
【図１３】
2011177376.tif 000015
【図１４】
2011177376.tif 000016
【図１５】
2011177376.tif 000017